(57)【要約】      （修正有）【課題】便座装置を、前側緩衝材、後側緩衝材で挟み込んでの収納なために、前側緩衝材若しくは後側緩衝材が製品から外れないよう注意して、箱本体へ収納しなければならず、作業がしにくかった。【解決手段】便座及び便蓋と、便座及び便蓋を回動自在に支持する装置本体とから成る便座装置Ａを梱包するための梱包容器であって、該梱包容器は前記便座装置を衝撃等より保護する緩衝材と、前記便座装置と前記緩衝材を収納する箱本体Ｅとで構成しており、前記緩衝材は前記装置本体の背面部、側面部及び底部を支える第１の緩衝材Ｃと、前記便座及び便蓋の先端部を支える第２の緩衝材Ｂで構成し、前記第2の緩衝材Ｂを取り出し可能とする為、天面部には略中心に取っ手部を設けた。【選択図】    図１
2004359244.tif 000002
【特許請求の範囲】
【請求項１】
便座及び便蓋と、便座及び便蓋を回動自在に支持する装置本体とから成る便座装置を梱包するための梱包容器であって、該梱包容器は前記便座装置を衝撃等より保護する緩衝材と、前記便座装置と前記緩衝材を収納する箱本体とで構成され、前記緩衝材は前記装置本体の背面部、側面部及び底部を支える第１の緩衝材と、前記便座及び便蓋の先端部を支える第２の緩衝材とで構成され、前記第２の緩衝材を前記梱包容器の開封面に配設し、該緩衝材の天面部に取り出しのための取っ手部を設けたことを特徴とする便座装置の梱包容器
【請求項２】
便座と、便座を回動自在に支持する装置本体とから成る便座装置を梱包するための梱包容器であって、該梱包容器は前記便座装置を衝撃等より保護する緩衝材と、前記便座装置と前記緩衝材を収納する箱本体とで構成され、前記緩衝材は前記装置本体の背面部、側面部及び底部を支える第１の緩衝材と、前記便座の先端部を支える第２の緩衝材とで構成され、前記第２の緩衝材を前記梱包容器の開封面に配設し、該緩衝材の天面部に取り出しのための取っ手部を設けたことを特徴とする便座装置の梱包容器
【請求項３】
請求項１記載又は請求項２記載の便座装置の梱包容器において、前記第２の緩衝材は前記便座装置の付属品を収納する収納部を有していることを特徴とする便座装置の梱包容器
【請求項４】
請求項３記載の便座装置の梱包容器において、前記付属品は、便座装置を遠隔操作するリモコン、トイレ内の施工用の配管部材、トイレ内の配管用接続金具のいずれか１つ以上であることを特徴とする便座装置の梱包容器。
【発明の詳細な説明】
【０００１】
【発明の属する技術分野】
本発明は、便座装置を梱包する梱包容器に係わる。
【０００２】
【従来の技術】
【０００３】
従来の梱包容器は、段ボールで形成された箱本体と、上端が開口された発泡スチロールなどの緩衝材１、２とから構成されている。箱本体は、底部が閉塞され、上端が開口した方形の箱状に形成されている。箱本体の開口部の各縁にはフラップ状の４つの舌片が連設されている。
前側緩衝材内に保護袋で包んだ便座装置の便座・便蓋の先端部分を収納し、後側緩衝材内に便座装置の本体部分を収納して、この前側緩衝材及び後側緩衝材で便座装置を挟み込むようにして箱本体内に収納する。次に、残りの舌片を箱本体の内部に開口縁で折り曲げる。これにより、便座装置が梱包容器に収納される。（特許文献１参照）
【０００４】
【特許文献】
実開平６−７１４７４号公報（図６）
【０００５】
【発明が解決しようとする課題】
しかし、２つの前側緩衝材、後側緩衝材で挟み込んでの収納なために、前側緩衝材若しくは後側緩衝材が製品から外れないよう注意して、箱本体へ収納しなければならず、作業がしにくかった。
また、施工時に製品を箱から取り出す際にも、前側緩衝材若しくは後側緩衝材単独で箱本体から取り出すことができず、取り出しにくかった。
【０００６】
また、製品に付属する水栓金具や配管等の各種の付属品類の収納場所が開梱時に確認しにくい場所に配置されていたり、梱包箱の開封面から直接取り出せない場所に配設されていた。
【０００７】
本発明は上記のような事情を考慮してなされたものであり、その目的は、梱包・開梱作業や施工作業を容易にすることである。
【０００８】
【課題を解決するための手段及び作用及び効果】
上記課題を解決するため、第一の発明では、便座及び便蓋と、便座及び便蓋を回動自在に支持する装置本体とから成る便座装置を梱包するための梱包容器であって、該梱包容器は前記便座装置を衝撃等より保護する緩衝材と、前記便座装置と前記緩衝材を収納する箱本体とで構成され、前記緩衝材は前記装置本体の背面部、側面部及び底部を支える第１の緩衝材と、前記便座及び便蓋の先端部を支える第２の緩衝材とで構成され、前記第２の緩衝材を前記梱包容器の開封面に面して配設し、該緩衝材の天面部に取っ手部を設けたので、施工現場で梱包容器を開封して製品を取り出す場合に、緩衝材の取り出しが簡単に行なえて、製品の取り出しも容易に行なうことが可能となる。なお、ここでいう開封面とは梱包容器に梱包された製品を取り出す梱包容器の面を意味している。
【０００９】
第二の発明では、便座と、便座を回動自在に支持する装置本体とから成る便座装置を梱包するための梱包容器であって、該梱包容器は前記便座装置を衝撃等より保護する緩衝材と、前記便座装置と前記緩衝材を収納する箱本体とで構成され、前記緩衝材は前記装置本体の背面部、側面部及び底部を支える第１の緩衝材と、前記便座の先端部を支える第２の緩衝材とで構成され、前記第２の緩衝材を前記梱包容器の開封面に配設し、該緩衝材の天面部に取り出しのための取っ手部を設けたので施工現場で梱包容器を開封して製品を取り出す場合に、緩衝材の取り出しが簡単に行なえて、製品の取り出しも容易に行なうことが可能となる。また、医療現場や介護医療現場で使われる便蓋無し（便座のみ仕様）品の需要も増えてきている。本発明は、その製品にも対応が可能である。なお、ここでいう開封面とは梱包容器に梱包された製品を取り出す梱包容器の面を意味している。
【００１０】
また、第三の発明では、第一の発明又は第二の発明に加え、前記第２の緩衝材は前記便座装置の付属品を収納する収納部を有しているので、例えば、第２の緩衝材にすべての付属部品の収納を集中させておけば、製品の梱包ラインにおいて付属品違いの製品に対して付属品を収納した第２の緩衝材を入れ替えるだけで対応可能であり、また、付属品を収納した状態で保管が可能であり、コスト的にも優れている。
【００１１】
なお、第四の発明では、第三の発明に加え、前記付属品は、便座装置を遠隔操作するリモコン、トイレ内の施工用の配管部材、トイレ内の配管用接続金具のいずれか１つ以上であるので、便座装置の付属品の重さが重いものを集中させることにより、取っ手部での取り出しによる作業効果が向上する。
【００１２】
【実施例】
以下、図面を参照して本発明の実施形態を説明する。図１は、局部洗浄便座装置Ａを包装する、本発明の包装装置の斜視図である。包装装置は、第２の緩衝材である前方緩衝材Ｂ、第１の緩衝材である機能部緩衝材Ｃ、補助緩衝材Ｄ、包装箱Ｅで構成される。本発明では前方緩衝材Ｂ、機能部緩衝材Ｃ、補助緩衝材Ｄ、包装箱Ｅの材料はダンボール材（紙）を使用しているが、これに限らず例えばプラスチック・ダンボール材等でも応用が可能である。
【００１３】
局部便座洗浄装置Ａは、給水源からの水を温水にする熱交換ユニットや温水を局部へ噴出するノズル、使用後局部の洗浄水を乾かす乾燥ユニット、制御を行うコントローラ等（図示無し）の機能部を収納するケーシング、便蓋、便座を有している。
前方緩衝材Ｂは前記便座及び便蓋緩衝材であり、前方緩衝材Ｂにはリモコンや配管、接続金具等が収納される収納部が設けられていて、機能部緩衝材Ｃは、前記機能部を支える土台である。補助緩衝材Ｄは機能部緩衝材Ｃに取り付けられる側面緩衝材である。これらの緩衝部材と包装袋Ｆに局部洗浄便座装置Ａを包み収納する。包装箱Ｅは、封函テープ（図示なし）にて封函する。
【００１４】
説明で使用する展開図は緩衝材の内面展開図であり、折り線指示は展開図に向かって谷折りについては破線で、山折りついては一点鎖線で示している。破線は、Ｎｏ．＋ａ（例：１ａ）で、一点鎖線は、Ｎｏ．＋ｂ（例：１ｂ）で採番をしている。折る場合は、隣合う面と垂直に折り線を使い折る、また、垂直に折る以外は逐次説明をする。以下それぞれの緩衝材の組立手順を説明する。
【００１５】
まず、局部洗浄便座装置Ａの前面部を保護する前面緩衝体の組立手順を説明する。図２は前面緩衝体の組立斜視図であり、図３は前面緩衝体の内面展開図である。
【００１６】
面１０１を折り線１０１ａで折り、面１０２を折り線１０２ａで折りつつ、面１０３と面１０５が当接（面１０５が外側）するように、また、面１０５に形成されたロック片１０５ｄ、１０５ｄ’が面１０３に形成された切り欠き１０３ｃ、１０３ｃ’にロックできる位置なるように、面１０３を折り線１０３ａで、面１０５を折り線１０５ａで折り、ロック片１０５ｄを折り線１０５ａ’で折り固定する。
【００１７】
面１０２に形成された切り欠き穴１０２ｆに面１１０、面１１１が挿入する為、
面１１０を折り線１１０ａにて折り、面１１１を折り線１１１ｂにて折る。面１０２に形成された切り欠き１０２ｃに面１１２、面１１３が収まる為、面１１４を面１０１と当接するように折り線１１４ａで折りつつ、面１１２を折り線１１２ａで折り、面１１３を折り線１１３ａで折る。
【００１８】
面１０６を折り線１０６ｂで折ることにより、連動して面１０４が折り線１０４ａに折れる。面１０５と面１０６は面１０４の幅分の緩衝空間ができる。その緩衝空間に面１０８を挿入するため、面１０７を折り線１０７ｂで折り、面１０８を折り線１０８ｂで折ることにより可能となる。その際、事前に面１０９を折り線１０９ｂで折ることにより、面１０９と面１０７が当接し、面１０９に形成される切り欠き１０９ｃが、面１０７に形成されるロック片１０７ｄが一致しロック片１０７ｄを折り線１０７ｂで折ることにより、面１０９と面１０７が固定される。よって、面１００と面１０５、面１０１で略正方立体に形成される。
【００１９】
面１１５を折り線１１５ａにて折ると、自動的に折り線１１５ｂが折れ、連接する面１１６も折り線１１６ａにて折れる。よって面１１５は、ロック片が無くても固定される。これにより、付属品であるリモコンの収納部が完成する。
【００２０】
面１１７の折り線１１７ａ折り、面１１８を折り線１１８ａで折りつつ、面１１９の折り線１１９ａでおり、ロック片１１９ｄを面１００に形成された切り欠き穴１００ｆに挿入する。これにより、面１１９、面１１７、面１０１で構成される支持柱が完成する。
【００２１】
面１２０に当接するように面１２３を折り線１２３ａで折り、面１２０を折り線１２０ａで折り、ロック片１２０ｄを、面１０２に形成されている切り欠き穴１０２ｆ’に挿入する。
【００２２】
取っ手部材である、面１２４と面１２５を折り線１２４ｂと折り線１２５ｂで折り、面１２４と面１２５を当接させつつ、面１２４と連接する、面１２６と面１２７を使い面１２５と係合させる。
【００２３】
よって、局部洗浄便座装置Ａの前面部を保護する前方緩衝材Ｂが完成する。図４より緩衝材Ｂは、前記リモコンを収納する収納部を有している、また、図中では面１００に形成する切り欠き１００ｃ、面１１２に形成する切り欠き１０２ｃを使い配管部材を固定でき、配管部材の長さ違いに対しては、面１０２に形成する切り欠き１０２ｃ’で対応する。便座装置の便座は先端に行くほど傾斜があるため、接続金具を収納する部分の面１０２に傾斜を持たせ収納空間を作っている。
【００２４】
次に、局部洗浄便座装置Ａの機能部部を保護する機能部緩衝材の組立手順を説明する。機能部緩衝材は側面部Ｃ１、背面部Ｃ２、底面部Ｃ３の三箇所の緩衝材から構成されている。図５は前方緩衝材Ｃの組立斜視図であり、図６は前方緩衝材Ｃの内面展開図である。
【００２５】
側面部Ｃ１の組立手順として、面２０１、面２０２を折り線２０１ａ、折り線２０２ａで折り、面２０３を折り線２０３ａで折る。面２０４を折り線２０４ａで、面２０５と当接する様に折りつつ、面２０５を折り線２０５ａで折り、面２０６で折り線２０６ａで折る。その際、面２０５に形成された切り欠き２０５ｃ、２０５ｃ’、切り欠き穴２０５ｆにそれぞれ、面２０７に対して垂直に立つ、面２０１、面２０２、面２０３が挿入される。面２０７を折り線２０７ａで折り、面２０９を折り線２０９ａで折る。面２０５と面２１０は当接される。面２０５に形成された切り欠き２０５ｃ’’と面２１０に形成されたロック片２１０ｄが折り線２１０ａ’で折り固定する。
【００２６】
面２１１と連接する面２１２を折り線２１１ａと折り線２１２ａでそれぞれ、面２１４と連接する面２１３に当接するように折りつつ、面２１３と面２１４を折り線２１３ａ、折り線２１４ａで折り、面２１２と面２１３にそれぞれ形成されている、切り欠き２１２ｃと２１３ｃが重なりあい、面２０４に形成されている切り欠き２０５ｃ’’’に係合される。よって、面２１０と面２１３（面２１２）、面２１４（面２１１）で略三角形状の緩衝体が完成する。
【００２７】
次に機能部緩衝材の背面部Ｃ２の組み立てを説明する。面２１７に形成されたロック片２１７ｄ、２１７ｄ’をそれぞれ、折り線２１７ａ’、２１７ａ’’で折りつつ、面２１５を折り線２１５ａで折り、面２１６を折り線２１６ａで折ると、面２１５に形成された切り欠き穴２１５ｆ、２１５ｆ’にロック片２１７ｄ、２１７ｄ’が挿入し固定される。
【００２８】
面２１７に形成された、ロック片２１７ｄ’’を折り線２１７ａ’’’で折りつつ、面２１７を折り線２１７ａで折り、面２１８を折り線２１８ａで折ると面２１９に形成された切り欠き穴２１９ｆにロック片２１７ｄ’’が挿入される。面２１９に形成されたロック片２１９ｄを折り線２１９ａ’で折り、面２１５に形成された切り欠き２１５ｃに挿入され固定される。
【００２９】
次に底面部Ｃ３の組み立て説明をする。面２２０に形成されたロック片２２０ｄ、２２０ｄ’を折り線２２０ａ、２２０ａ’で折り、面２２１に形成されたロック片２２１ｄと面２２２に形成されたロック片２２２ｄを、折り線２２１ａ’と２２２ａ’で折り、面２２１、面２２２を折り線２２１ａ、２２２ａで折りつつ、面２２３、２２４を折り線２２３ａ、２２４ａで折ると、面２２２ａに形成された切り欠き穴２２２ｆと面２２１に形成された切り欠き穴２２１ｆのそれぞれに、ロック片２２０ｄと２２０ｄ’が挿入し、面２２０に形成されている切り欠き穴２２０ｆ、２２０ｆ’にロック片２２２ｄ、２２１ｄが挿入され固定される。
【００３０】
面２２７、面２３１、面２３０で略三角形状となるように、面２３０を折り線２３０ｂで折り、面２３１を折り線２３０ｂで折り、面２３０に形成されているロック片２３０ｄが面２２７に形成されている切り欠き穴２２７ｆに挿入され、略三角形状となり固定される。
【００３１】
面２２５、面２２６、面２２７で略三角形状となるように、面２２５を折り線２２５ａで折り、面２２６を折り線２２６ａで折り、柱部材となる面２２９を折り線２２９ａで折り、面２２７を折り線２２７ａで折ると、面２２９に形成されたロック片２２９ｄが面２２０に形成された切り欠き穴２２０ｆ’’に挿入され、また、面２２０に形成されたロック片２２０ｄ’’を折り線２２０ａ’’で折り、面２２５に形成された切り欠き２２５ｃに挿入し、固定する。
【００３２】
面２２８、面２３２、面２３３で略三角形状となるように、面２２８を折り線２２８ｂで折り、面２３２を折り線２３２ｂで折り、面２２８に形成されているロック片２２８ｄが面２３３に形成されている切り欠き穴２３３ｆに挿入され、略三角形状となり固定される。
【００３３】
面２３４、面２３５、面２３３で略三角形状となるように、面２３４を折り線２３４ａで折り、面２３５を折り線２３５ａで折り、面２３３を折り線２３３ａで折りりつつ、側面部Ｃ１が起き上がるように面２１０を折り線２１０ａで折り、面２１０に形成されているロック片２１０ｄを折り線２１０ａ’で折り、面２３５に形成されている切り欠き２３５ｃに挿入され固定する。
【００３４】
背面部Ｃ２が起き上がるように、面２１９を折り線２１９ａで折り、面２１７に形成されたロック片２１７ｄ’’’の３箇所をそれぞれ、面２２０に形成された切り欠き穴２２０ｆ’’’の３箇所に挿入しつつ、背面部Ｃ２の側面に形成されている、一対の面２１７に形成されたロック片２１７ｄ’’’’と面２１９に形成された２１９ｄ’’を面２０８に形成された切り欠き２０８ｃに挿入することにより固定される。
【００３５】
面２３６を折り線２３６ａで折り、背面部Ｃ２の外側に面２１９に当接するように、面２３７を折り線２３７ａで折り、ロック片２３７ｄを折り線２３７ａ’で折り、面２１９に形成された２１９ｆ’に挿入しロックする。
【００３６】
次に、機能部緩衝材Ｃに取り付けられる側面緩衝材の補助緩衝材Ｄの組立手順を説明する。図７は補助緩衝材Ｄの組立斜視図及び内面展開図である。
【００３７】
面３０１と連接する面３０２を、折り線３０１ａと折り線３０２ａで  それぞれ面３０３、面３０４に当接するように折る。面３０４を折り線３０４ａで折りつつ、面３０４と面３０３と面３０５で略三角形状になるように面３０３を折り線３０３ａで折る。
【００３８】
面３１３を折り線３１３ｂで折り、前記略三角形状を保ちつつ、面３０５を折り線３０５ａで折り、面３０６と面３０７を同時に折り線３０６ａ、折り線３０７ａで折ると自動的に面３０８、面３０９、面３１０が各々の折線により立ち上がる。その際、面３１１に形成された切り欠き３１１ｃに前記三角形状が入り込む。
【００３９】
面３１２を折り線３１２ａにて、面３０５と当接するように折る。その際、面３１２に形成した切り欠き穴３１２ｆ’に、面３０４に形成したロック片３０４ｄが挿入し固定される。
【００４０】
収納手順としては、機能部緩衝材Ｃを包装箱Ｅに所定の位置に収納し、便座装置Ａを機能部緩衝材Ｃに設置し、補助緩衝材Ｄは、面３１１に形成された３１１ｄと面３１２に形成された３１２ｄが、機能部緩衝材Ｃの面２１８に形成された、切り欠き穴２１８ｆ、２１８ｆ’に挿入し収納する。前方緩衝材Ｂを便座装置先端に配置し封函する。
【図面の簡単な説明】
【図１】本発明の梱包容器斜視図
【図２】本発明の前方緩衝材Ｂの斜視図
【図３】本発明の前方緩衝材Ｂの内面展開図
【図４】本発明の前方緩衝材Ｂに付属品の収納図
【図５】本発明の機能部緩衝材Ｃの斜視図
【図６】本発明の機能部緩衝材Ｃの展開図
【図７】本発明の補助緩衝材Ｄの斜視図及び展開図
【符号の説明】
Ａ・・・局部洗浄便座装置、Ｂ・・・前方緩衝材
Ｃ・・・機能部緩衝材、Ｄ・・・補助部材、Ｅ・・・包装箱、Ｆ・・・包装袋
【図１】
2004359244.tif 000003
【図２】
2004359244.tif 000004
【図３】
2004359244.tif 000005
【図４】
2004359244.tif 000006
【図５】
2004359244.tif 000007
【図６】
2004359244.tif 000008
【図７】
2004359244.tif 000009